(57)【要約】      （修正有）【課題】多種多様のピアスを確実に保持できると共に、ピアスのデザインや色彩が分かりやすく保管または展示でき、装着したいピアスを即時に取り出すことができるピアス用保持具を提供する。【解決手段】ピアス６のピンを突き刺しても弾性回復力で保持する弾性保持体１の長さ方向に複数個の傾斜面５を形成する。弾性保持体１をネット２で被覆する。【選択図】図１
0003111779.tif 000002
【実用新案登録請求の範囲】
【請求項１】
ピアスのピンを突き刺しても弾性回復力で保持する弾性保持体の長さ方向に複数個の傾斜面を形成し、該弾性保持体をネットで被覆したことを特徴とするピアス用保持具。
【請求項２】
前記弾性保持体は、プラスチックフォームの連続気泡やラバーフォームである請求項１に記載のピアス用保持具。
【請求項３】
前記弾性保持体の傾斜面は、上方を低部に下方を高部とした傾斜面である請求項１または請求項２に記載のピアス用保持具。
【請求項４】
ネットの上下端部をテープやリボンなどの装飾片で括ると共に、連結具を取り付けてある請求項１〜３のいずれか一つに記載のピアス用保持具。
【考案の詳細な説明】
【技術分野】
【０００１】
本考案は、ピアス用の保持具に係り、さらに詳しくは、家庭での保管や販売店での展示用としても利用できるピアス用保持具に関するものである。
【背景技術】
【０００２】
耳部の装飾具として、耳朶に開けた孔にピンを通して使用するピアスが若い女性から中年の女性まで多くの人が使用している。ピアスの種類としては、耳朶にピッタリ付くボタンタイプ、耳朶からぶら下がるドロップタイプ、フープ状のフープタイプなどがあり、また飾り具は宝石などで作られた高級品から一般的な合成樹脂、金属、皮革などの比較的低廉なものがあり、さらにピンの径の大小や長短あるいは直杆と曲杆など多種多様のものがある。
【０００３】
そのピアスを付ける場合には、ヘアースタイルやファッションあるいはその時の気分などによって付け替えることから、一人の女性で多数個持っていると言われており、しかも左右一対のペアーになっていることから、数十個持つことになり適切に保管できないと言った問題があった。
【０００４】
すなわち、高級品は個別ケースに収容されて販売されていることから、購入後においてもケースの中に収容しておき装着時にケースから取り出し、装着後はケースに収納しているが、比較的低廉なピアスは展示台紙などに取り付けられて販売されており、購入時にはケースには入れられず販売されている。そのため、購入後の保管は、小物入れや化粧箱などの中にまとめて収容しているのが普通である。
【０００５】
しかしながら、小物入れや化粧箱などの中にまとめて入れておくと、その時に着用する服装とマッチするピアスのデザインや色彩が分からず、また各種のピアスが入り混じっており、装着したいピアスを取り出すのに手間がかかるばかりでなく、探す時に飾り具同士が接触して傷つくなどの問題点があった。
【０００６】
そのような問題を解決するものとして、台紙に一対の差込孔を開け、それぞれの差込孔にピアスのピンを差し込んでピアスを取り付けると言うものが提案されている（例えば、特許文献１参照）。
【特許文献１】実用新案登録第３０７９７１２号
【考案の開示】
【考案が解決しようとする課題】
【０００７】
しかしながら、前記の特許文献１の台紙による保持は、ピアスのピンを孔に挿通し、孔から突出したピンにキャッチを嵌合させて台紙に固定するものであるが、ピアスのピンは直杆だけでなく、フック状のものもあることから、孔に挿通するのが難しく、またピンは細い線材で形成されているので、孔と接触して曲がったり折れたりすることがあった。さらに、ピアスによってはキャッチのないものもあることから、そのようなピアスの場合には使用できないと言った問題点があった。
【０００８】
本考案は、上記のような問題点を解決することを課題として開発されたもので、その目的とするところは、多種多様のピアスを確実に保持できると共に、ピアスのデザインや色彩が分かりやすく保管または展示でき、装着したいピアスを即時に取り出すことができるピアス用保持具を提供するものである。
【課題を解決するための手段】
【０００９】
上記の課題を解決し、その目的を達成する手段として、ピアスのピンを突き刺しても弾性回復力で保持する弾性保持体の長さ方向に複数個の傾斜面を形成し、該弾性保持体をネットで被覆したことを特徴とするピアス用保持具を開発し、採用した。
【００１０】
また、本考案は上記のように構成したピアス用保持具において、前記弾性保持体は、プラスチックフォームの連続気泡やラバーフォームであるピアス用保持具、および前記弾性保持体の傾斜面は、上方を低部に下方を高部とした傾斜面であるピアス用保持具、およびネットの上下端部をテープやリボンなどの装飾片で括ると共に、連結具を取り付けてあるピアス用保持具を開発し、採用した。
【考案の効果】
【００１１】
複数個の傾斜面を持つ弾性保持体にピアスのピンを突き刺すことができ、差し込んだピンは弾性保持体の弾性回復力にてピンがしっかり保持されて抜け落ちることがない。また、細い線材のピンでも変形や折損のおそれがなくなり多種多様のピアスを保持できる。さらに、ピアスを保持する弾性保持体が傾斜する立体面になっているから、保持されたピアスが見やすくなり、デザインや色彩が一目で分かり、服装とマッチするピアスを適切に選ぶことができる。
【００１２】
また、長いピンを下方の高い部分に突き刺し、短いピンを上方の低い部分に突き刺すようなピンの長さに応じた使い分けができると共に、フック状のピンは、下部の高い部分に引っ掛けるように突き刺せば容易に保持できる。さらに、側面部や背面部も使用でき、少ない面積で多数のピアスを保管、展示できる。また、外す場合もワンタッチで簡単に取り外すことができる。
【００１３】
さらに、弾性保持体はネットで被覆されており、ピンはネットの目を介して突き刺してあるから、外力などでピアスが妄動したとしても、編目によって係止され抜け落ちることがない。また、編目でピンの突き刺しによる破損がなく、長い期間に亘って使用することができる。さらに、弾性保持体の汚れを防ぐと共に、上下部を装飾片で括るのと相俟って見栄えを良くして体裁良好になる。また、連結具により連結すれば縦方向に複数個連結され、上端部の連結具をフックなどに掛け止めて保管や展示することができる。
【考案を実施するための最良の形態】
【００１４】
以下に、本考案の１実施の形態を添付図面の図１〜図５に基づいて説明すれば、本考案に係るピアス用保持具は、弾性保持体１と、その弾性保持体１を収容する筒状のネット２と、該筒状のネット２の上下部を括るテープやリボンなどの装飾片３と、上下縦方向に連結するための連結具４とで構成されている。
【００１５】
弾性保持体１は、プラスチックフォームの連続気泡フォームやラバーフォームなどの柔軟性を有する弾性材料で、差し込まれたピンを弾性回復力でしっかり保持する性質のもので、図２に示すように、縦長状に形成されており、上方が低部５ａで下方が高部５ｂとなる傾斜面５を、長さ方向に複数個連設した状態で形成されている。
【００１６】
弾性保持体１を収容する筒状のネット２は、経糸と緯糸を交互に編んだネットまたは合成樹脂を用いてネット状に一体成形したものなどを使用でき柔軟性の比較的細かい目のネットを用いる。
【００１７】
テープやリボンなどの装飾片３は、上記筒状ネット２内に弾性保持体１が収容された後、その上下端部を括り付けて弾性保持体１の抜け落ちや移動を防止していると共に、装飾効果を高めて外観を美しくしてある。
【００１８】
リング状の連結具４は、テープやリボンなどの装飾片３に取り付けられており、上下縦方向に連結する時にリング状の連結具４同士を結合して複数鋼のピアス用保持具を連結するためのものである。
【００１９】
このように構成した本考案の使用状態を作用、効果と共に説明すると、複数個の傾斜面５を持つ弾性保持体１を筒状ネット２内に収容し、筒状ネット２の上下部をテープやリボンなどの装飾片３で括りつけて開口部を閉鎖して弾性保持体１の抜け出しおよび移動を阻止すると共に、装飾効果を高めたピアス用保持具を形成する。
【００２０】
そして例えば、図１に示すように、弾性保持体１の傾斜面５にピンを突き刺せば保持でき、特にドロップタイプのピアスであっても、飾り具を邪魔することなく保持または展示できる。また、図４に示すように、傾斜面５の低部５ａには傾斜面５と直交する方向から短ピン６ａのピアス６を突き刺し、高部５ｂには傾斜面と直交する方向から長ピン６ｂのピアス６を突き刺し、ピンの長短によって使い分けができる。さらに、フックピン６ｃのピアス６の場合は、傾斜面５の高部５ｂの保持面と平行する方向から突き刺せば容易に突き刺すことができる。また、ボタンタイプでキャッチ６ｄのあるピアス６の場合は、キャッチ６ｄを短ピン６ａに係合したまま突き刺せばよいので、これまで紛失することが多かったキャッチ６ｄを紛失しなくなる。
【００２１】
また、ピアス６の保持部は傾斜面５に限らず、側面部７や背面部８も保持部として使用できることから、少ない面積で効率よく多種多様のピアスを保持できる。さらに、傾斜面５が立体になっているから、保持されたピアスが非常に見やすくなる。
【００２２】
さらに、リング状の連結具４を介して上下に連結してフック（図示せず）などに引っ掛ければ、多数個のピアス６を保管したり、展示したりできるものである。
【００２３】
以上、本考案の主要な実施の形態について説明したが、本考案は上記の実施の形態に限定されるものではなく、例えば、弾性保持体を複数個に分け、それらを連結してネット地で被覆して使用することもあり、本考案の目的を達成でき、かつ考案の要旨を逸脱しない範囲内で種々設計変更が可能であり、それらも全て本考案の範囲内に包含されるものである。
【産業上の利用可能性】
【００２４】
本考案は一般家庭のピアス保管用だけでなく、店頭での販売用展示具等としても有効的に利用できるものである。
【図面の簡単な説明】
【００２５】
【図１】本考案のピアス用保持具の斜視図である。
【図２】弾性保持体の斜視図である。
【図３】被覆ネットの斜視図である。
【図４】弾性保持体に各種のピアスを突き刺した状態の断面図である。
【図５】ピアス用保持具を連結した状態の斜視図である。
【符号の説明】
【００２６】
１    弾性保持体  
２    ネット  
３    装飾片    
４    連結具  
５    傾斜面  
５ａ  底部
５ｂ  高部
６    ピアス
【図１】
0003111779.tif 000003
【図２】
0003111779.tif 000004
【図３】
0003111779.tif 000005
【図４】
0003111779.tif 000006
【図５】
0003111779.tif 000007